【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
微粉化含水カオリンを含む組成物であって、
該微粉化含水カオリンが、以下の比の粒径分布、
（０．５μｍにおける累積質量）／（２μｍにおける累積質量）≦０．５
および約２．０μｍ未満またはこれに等しい中央粒径（Ｄ５０）を有することを特徴とする組成物。
【請求項２】
微粉化含水カオリンが、約０．５μｍから約１．５μｍの範囲にある中央粒径（Ｄ５０）を有する請求項１に記載の組成物。
【請求項３】
微粉化含水カオリンが、約２．０μｍ未満かつ約０．４μｍを超える中央粒径（Ｄ５０）を有する請求項１に記載の組成物。
【請求項４】
微粉化含水カオリンが、約１．０μｍ未満かつ約０．５μｍを超える中央粒径（Ｄ５０）を有する請求項２に記載の組成物。
【請求項５】
含水カオリンを含む組成物であって、
該含水カオリンが、以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有することを特徴とする組成物。
【請求項６】
含水カオリンが、“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２．５を超えるヘグマングラインド（Ｈｅｇｍａｎ  Ｇｒｉｎｄ）を有する請求項５に記載の組成物。
【請求項７】
含水カオリンが、“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約３を超えるヘグマングラインド（Ｈｅｇｍａｎ  Ｇｒｉｎｄ）を有する請求項６に記載の組成物。
【請求項８】
含水カオリンが、約０．５μｍから１．５μｍの範囲にある中央粒径（Ｄ５０）を有する請求項５に記載の組成物。
【請求項９】
含水カオリンが約２．０μｍ未満かつ約０．４μｍを超える中央粒径（Ｄ５０）を有する請求項５に記載の組成物。
【請求項１０】
含水カオリンが約１．０μｍ未満かつ約０．５μｍを超える中央粒径（Ｄ５０）を有する請求項８に記載の組成物。
【請求項１１】
以下の粒径分布比、
（０．５μｍにおける累積質量）／（２μｍにおける累積質量）≦０．５
および約２．０μｍ未満またはこれに等しい中央粒径（Ｄ５０）を有する含水カオリンを微粉化する工程、および、組成物中に該微粉化含水カオリンを含有させる工程を含むカオリン組成物の調製方法。
【請求項１２】
以下の比の粒径分布、
（０．５μｍにおける累積質量）／（２μｍにおける累積質量）≦０．５
および約２．０μｍ未満またはこれに等しい中央粒径（Ｄ５０）を有する含水カオリンを微粉化する工程を含む、含水カオリンの分散速度を増大させる方法。
【請求項１３】
以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有する含水カオリンを適切な媒体中に含むインキ。
【請求項１４】
適切な媒体が、水性媒体および非水性媒体から選択される請求項１３に記載のインキ。
【請求項１５】
グラビアインキ、ヒートセットインキ、平板印刷インキ、および新聞印刷インキから選択される請求項１３に記載のインキ。
【請求項１６】
樹脂、高分子、添加剤、充填剤、希釈剤、湿潤剤、レシチン、および殺生剤から選択される少なくとも１種の成分をさらに含む請求項１３に記載のインキ。
【請求項１７】
樹脂が、ビニル樹脂、アクリル樹脂、炭化水素樹脂、ポリエステル樹脂、金属含有レジネート、およびセルロース系レジネートから選択される請求項１６に記載のインキ。
【請求項１８】
添加剤が、レオロジー改質剤、界面活性剤、および乾燥促進剤から選択される請求項１６に記載のインキ。
【請求項１９】
乾燥促進剤が、ラウリル硫酸ナトリウム、Ｎ，Ｎ−ジエチル−ｍ−トルアミド、シクロヘキシルピロリジノンおよびブチルカルビトールから選択される請求項１８に記載のインキ。
【請求項２０】
湿潤剤が、エチレングリコール、プロピレングリコール、ジエチレングリコール、グリセリン、ジプロピレングリコール、ポリエチレングリコール、ポリプロピレングリコール、アミド、エーテル、カルボン酸、エステル、アルコール、オルガノスルフィド、オルガノスルホキシド、スルホン、アルコール誘導体、カルビトール、ブチルカルビトール、セロソルブ、エーテル誘導体、アミノアルコール、およびケトンから選択される請求項１６に記載のインキ。
【請求項２１】
殺生剤が、ベンゾエート、ソルベート、およびイソチアゾロンから選択される請求項１６に記載のインキ。
【請求項２２】
少なくとも１種の顔料をさらに含む請求項１３に記載のインキ。
【請求項２３】
以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有する含水カオリンを適切な媒体中に含む塗料。
【請求項２４】
建築用塗料、デコ塗料、アート塗料、および工業用コーティング剤から選択される請求項２３に記載の塗料。
【請求項２５】
１％〜８０％の範囲にある顔料体積濃度を有する請求項２３に記載の塗料。
【請求項２６】
塗料が、その限界顔料体積濃度より低い顔料体積濃度を有する請求項２３に記載の塗料。
【請求項２７】
バインダーおよび添加剤から選択される少なくとも１種の成分をさらに含む請求項２３に記載の塗料。
【請求項２８】
バインダーが、水性分散性バインダーおよび非水性分散性バインダーから選択される請求項２７に記載の塗料。
【請求項２９】
バインダーが、ポリビニルアルコール、アクリル系、ビニルアクリル系、酢酸ビニル、スチレン含有バインダー、およびラテックス含有バインダーから選択される請求項２８に記載の塗料。
【請求項３０】
添加剤が、界面活性剤、増粘剤、脱泡剤、ぬれ向上剤、分散剤、殺生剤、および合体剤から選択される請求項２７に記載の塗料。
【請求項３１】
少なくとも１種の顔料をさらに含む請求項２７に記載の塗料。
【請求項３２】
少なくとも１種の追加の顔料が、ＴｉＯ２および炭酸カルシウムから選択される請求項３１に記載の塗料。
【請求項３３】
以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有する含水カオリンを含む高分子製品。
【請求項３４】
少なくとも１種の高分子樹脂をさらに含む請求項３３に記載の高分子製品。
【請求項３５】
少なくとも１種の高分子樹脂が、ポリオレフィン樹脂、アリル樹脂、ポリアミド樹脂、ポリエステル樹脂、エンジニアリング高分子、熱可塑性樹脂および熱硬化性樹脂から選択される請求項３４に記載の高分子製品。
【請求項３６】
以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有する含水カオリンを含むゴム製品。
【請求項３７】
天然ゴムおよび合成ゴムから選択される少なくとも１種のゴムを含む請求項３６に記載のゴム製品。
【請求項３８】
合成ゴムが、イオウ加硫ゴム、スチレン−ブタジエンゴム、ビニル−スチレン−ブタジエンゴム、ブタジエンゴム、およびネオプレンゴムから選択される請求項３７に記載のゴム製品。
【請求項３９】
スチレン−ブタジエンゴムが、エマルジョンスチレン−ブタジエンゴムおよび溶液スチレン−ブタジエンゴムから選択される請求項３８に記載のゴム製品。
【請求項４０】
ブタジエンゴムが、シス−１，３−ポリブタジエンゴムおよびシス−１，４−ポリブタジエンゴムから選択される請求項３８に記載のゴム製品。
【請求項４１】
天然ゴムが、標準マレーシア天然ゴムである請求項３７に記載のゴム製品。
【請求項４２】
以下の比の粒径分布、
（０．５μｍにおける累積質量）／（２μｍにおける累積質量）≦０．５
約２．０μｍ未満またはこれに等しい中央粒径（Ｄ５０）、および“ＳＳＭ”Ｖ−Ｔアルキドヘグマンテスト（“ＳＳＭ”Ｖ−Ｔ  Ａｌｋｙｄ  Ｈｅｇｍａｎ  Ｔｅｓｔ）を使用して、３分間で約２を超えるヘグマングラインド（Ｈｅｇｍａｎ  Ｇｒｉｎｄ）を有する含水カオリンを含むコーティング剤。
【請求項４３】
非水性紙用コーティング剤である請求項４２に記載のコーティング剤。
【請求項４４】
板紙用コーティング剤である請求項４２に記載のコーティング剤。
【請求項４５】
少なくとも１種のバインダーをさらに含む請求項４２に記載のコーティング剤。
【請求項４６】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを適切な媒体中に含むインキ。
【請求項４７】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを適切な媒体中に含む塗料。
【請求項４８】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを含む高分子製品。
【請求項４９】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを含むゴム製品。
【請求項５０】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを含むコーティング剤。
【請求項５１】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを含む紙用コーティング剤。
【請求項５２】
以下の比の粒径分布、
（０．５μｍにおける累積質量）／（２μｍにおける累積質量）≦０．５
および約２．０μｍ未満またはこれに等しい中央粒径（Ｄ５０）を有する微粉化含水カオリンを含む板紙用コーティング剤。
【請求項５３】
微粒子顔料または顔料混合物の分散速度の測定方法であって、
ａ）微粒子顔料をアルキド樹脂含有系と混合して、最初の顔料含有混合物を形成する工程、
ｂ）最初の顔料含有混合物を粉砕して、粉砕された顔料含有混合物を生成する工程、
ｃ）粉砕された顔料含有混合物中の、微粒子顔料の相対的分散を測定する工程、
ｄ）粉砕された顔料含有混合物を再粉砕する工程、および
ｅ）再粉砕された顔料含有混合物中の微粒子顔料の相対的分散を測定する工程
を含む方法。
【請求項５４】
前記アルキド樹脂が、液体の非水性アルキド樹脂を含む請求項５３に記載の方法。
【請求項５５】
前記アルキド樹脂が、ビニルトルエン樹脂を含む請求項５３に記載の方法。
【請求項５６】
前記相対的分散が、ヘグマングラインド（Ｈｅｇｍａｎ  ｇｒｉｎｄ）ゲージに基づく方法を使用して測定される請求項５３に記載の方法。
【請求項５７】
前記相対的分散が、顔料含有混合物から調製された乾燥皮膜の光沢および光輝を測定することによって求められる請求項５３に記載の方法。